(57)【要約】【課題】スポットカラーマッチングを採用していない文書作成ソフトウエアにおいても容易に印刷する色をオブジェクト個体毎に厳密に指定することが可能なカラー文書データ処理装置を提供する。【解決手段】文書作成ソフトウエアのテキストオブジェクトの属性を指定することによりカラーメタオブジェクトを指定し、文書データ内にこのカラーメタオブジェクトを検出したとき、リンク先の描画オブジェクトの色をカラーメタオブジェクトにより指定した色校正指示情報に従って変換する。【選択図】図３
2010009593.tif 000002
【特許請求の範囲】
【請求項１】
ホストから受信した文書データを構文解析し、テキストオブジェクトを含む第１の中間データに変換する構文解析部と、
前記第１の中間データの中から、あらかじめ指定された属性を有するテキストオブジェクトであるカラーメタオブジェクトを検出し、前記カラーメタオブジェクトの指示に従って描画対象のオブジェクトの色情報を変更した第２の中間データを生成するカラーメタデータ処理部と、
前記第２の中間データの前記描画対象オブジェクトの色情報をプリンタ色空間の色座標値に変換すると共に、描画オブジェクトを含む文書データ全体をラスタデータに変換して出力するプリントデータ生成部と、
を備える画像処理装置。
【請求項２】
前記カラーメタデータ処理部は、
前記カラーメタオブジェクトのテキストから色の校正方法を指示する色校正指示情報を抽出し、
前記色校正指示情報に従って描画対象のオブジェクトの色情報を変更した前記第２の中間データを出力する
ことを特徴とする請求項１記載の画像処理装置。
【請求項３】
前記カラーメタデータ処理部は、
前記カラーメタオブジェクトのテキストからスポットカラー名を指示する色校正指示情報を抽出し、
前記色校正指示情報に従って描画対象のオブジェクトの色座標を前記スポットカラー名に対応する色座標に変更した前記第２の中間データを出力する
ことを特徴とする請求項１記載の画像処理装置。
【請求項４】
前記カラーメタデータ処理部は、
前記カラーメタオブジェクトの領域内に指定を有し、あらかじめ指定された属性を有するオブジェクトである連結オブジェクトを検出し、
前期連結オブジェクトの終点にあるオブジェクトを前記描画対象のオブジェクトとして検出する
ことを特徴とする請求項２又は請求項３に記載の画像処理装置。
【請求項５】
前記カラーメタデータ処理部は、
前記カラーメタオブジェクトの領域内にかかるオブジェクトを前記描画対象のオブジェクトとして検出する
ことを特徴とする請求項２又は請求項３に記載の画像処理装置。
【請求項６】
前記カラーメタデータ処理部は、
前記カラーメタオブジェクトを非表示にする
ことを特徴とする請求項２又は請求項３に記載の画像処理装置。
【請求項７】
前記カラーメタデータ処理部は、
前記連結オブジェクトを非表示にする
ことを特徴とする請求項４記載の画像処理装置。
【請求項８】
構文解析部がホストから受信した文書データを構文解析し、テキストオブジェクトを含む第１の中間データに変換し、
カラーメタデータ処理部が前記第１の中間データの中から、あらかじめ指定された属性を有するテキストオブジェクトであるカラーメタオブジェクトを検出し、前記カラーメタオブジェクトの指示に従って描画対象のオブジェクトの色情報を変更した第２の中間データを生成し、
プリントデータ生成部が前記第２の中間データの前記描画対象オブジェクトの色情報をプリンタ色空間の色座標値に変換すると共に、描画オブジェクトを含む文書データ全体をラスタデータに変換して出力することを特徴とする画像処理装置の画像処理方法。
【発明の詳細な説明】
【技術分野】
【０００１】
本発明は、パソコンなどのホストコンピュータから出力されたカラー文書データを処理してプリンタなどの画像形成装置に出力するカラー文書データ処理装置に関する。
【背景技術】
【０００２】
従来、パソコンなどのホストコンピュータにおいて作成されたカラー文書は、プリンタコントローラなどによりＲＧＢデータをＩＣＣプロファイルなどのカラープロファイルを参照してＣＭＹＫデータに変換し、プリンタに出力している。
【０００３】
この変換に際して、テキスト、グラフィックス、イメージなどのオブジェクト毎に適したプロファイルが参照され、全体として適正な色が再現される。
【０００４】
出力される色をさらに厳密に制御するためにはスポットカラーマッチングを行う。すなわち、印刷データの中にスポットカラー指定したオブジェクトを配置する。プリンタコントローラは印刷データの中にスポットカラー名の指定された描画オブジェクトを検出すると、このスポットカラー名に対応する色座標値をスポットカラーテーブルから読みだし、この色座標値に基づいて色データをプリンタに出力する（例えば、特許文献１、特許文献２）。
【０００５】
しかし、スポットカラーマッチングをサポートしていない文書作成ソフトウエアにおいては、この技術は使えないという問題点がある。
【０００６】
また、プリンタのドライバを使用して色を調整することもできるが、この調整は経験や熟練が必要であり、一般ユーザにとっては使いにくいという問題点がある。
【先行技術文献】
【特許文献】
【０００７】
【特許文献１】特開２００６−２８５８３８号公報
【特許文献２】特開２００７−２９５４００号公報
【発明の概要】
【発明が解決しようとする課題】
【０００８】
本発明は、スポットカラーマッチングを採用していない文書作成ソフトウエアにおいても容易に印刷する色をオブジェクト個体毎に厳密に指定することが可能なカラー文書データ処理装置を提供することと、を目的とする。
【課題を解決するための手段】
【０００９】
本発明は、ホストから受信した文書データを構文解析し、テキストオブジェクトを含む第１の中間データに変換する構文解析部と、第１の中間データの中から、あらかじめ指定された属性を有するテキストオブジェクトであるカラーメタオブジェクトを検出し、カラーメタオブジェクトの指示に従って描画対象のオブジェクトの色情報を変更した第２の中間データを生成するカラーメタデータ処理部と、第２の中間データからプリントデータを生成するプリントデータ生成部と、を備える画像処理装置を提供する。
【発明の効果】
【００１０】
スポットカラーマッチングを採用していない文書作成ソフトウエアにおいても容易に印刷する色をオブジェクト個体毎に厳密に指定することが可能となるという効果がある。
【図面の簡単な説明】
【００１１】
【図１】画像処理装置のハードウエア構成を示す図である。
【図２】画像処理装置の処理の概要を示すフローチャートである。
【図３】第１の実施形態の画像処理装置が行うカラー変換処理のためのソフトウエアモジュールブロック図である。
【図４】カラーメタデータ処理部の構成を示すソフトウエアブロック図である。
【図５】カラーマネジメントの基本処理を示すブロック図である。
【図６】カラーメタデータ処理を示すフローチャートである。
【図７】図６の動作６０７の第１の実施形態における処理内容を示したフローチャートである。
【図８】カラーメタオブジェクト及び連結オブジェクトの条件設定画面の例を示す図である。
【図９】文書にカラーメタオブジェクトを配置した状態を示す図である。
【図１０】変換後の文書の状態を示す図である。
【図１１】図６の動作６０７の第２の実施形態における処理内容を示したフローチャートである。
【図１２】文書にカラーメタオブジェクトを配置した状態を示す図である。
【図１３】変換後の文書の状態を示す図である。
【図１４】第３の実施形態の画像処理装置が行うカラー変換処理のためのソフトウエアモジュールブロック図である。
【図１５】スポットカラー化処理部の構成を示すソフトウエアブロック図である。
【図１６】スポットカラー化処理を示すフローチャートである。
【図１７】図１６の動作１６０８の第３の実施形態における処理内容を示したフローチャートである。
【図１８】文書にカラーメタオブジェクトを配置した状態を示す図である。
【図１９】変換後の文書の状態を示す図である。
【図２０】図１６の動作１６０８の第4の実施形態における処理内容を示したフローチャートである。
【図２１】文書にカラーメタオブジェクトを配置した状態を示す図である。
【図２２】変換後の文書の状態を示す図である。
【発明を実施するための形態】
【００１２】
以下、本発明のカラー文書データ処理装置の一実施の形態について、図面を用いて詳細に説明する。カラー文書データ処理装置はパソコンなどのホストとプリンタなどの画像形成装置の画像処理装置との間に設置される。カラー文書データ処理装置は画像処理装置と一体に形成することも別体とすることもできる。
【００１３】
（第１の実施形態）
図１は、本実施形態の画像処理装置のハードウエア構成を示す図である。図１に示すように、画像処理装置は、演算装置であるＣＰＵ１０１と、ＣＰＵ１０１に接続するノースブリッジ１０２と、ノースブリッジ１０２に接続するシステムメモリ１０３と、を備える。ノースブリッジ１０２は画像処理装置内の情報流通を制御するＬＳＩを指す。
【００１４】
ノースブリッジ１０２にはネットワークインターフェース１０４、入出力部１０５、ページメモリ１０６、データ記憶部１０７、システムＡＳＩＣ１０８、画像処理を行うＡＳＩＣである画像処理ＡＳＩＣ１０９が接続する。
【００１５】
入出力部１０５は画像形成部１１０へ画像データを送る。画像形成部１１０は受信した画像データに基づいて画像を形成する。
【００１６】
図２は、本実施形態の画像処理装置の処理の概要を示すフローチャートである。図２に示すように、画像処理装置は、動作２０１においてパソコンなどのホストから印字するためのデータを受信する。
【００１７】
画像処理装置は、動作２０２においてホストから受信した文書データに対して後述するカラー制御を行う。このカラー制御において、画像処理装置は指定された描画対象図形の色を指定された色座標に置き換える。
【００１８】
画像処理装置は、動作２０３においてイメージ属性分析を行い、印字するためのデータをＴｅｘｔ，Ｇｒａｐｈｉｃｓ，ｐｈｏｔｏに分類する。画像処理装置は、動作２０４においてラスター演算を行い、動作２０５においてガンマ変換を行い、動作２０６においてハーフトーン処理を行う。
【００１９】
動作２０２から動作２０６までの処理はＣＰＵ１０１がソフトウエアを用いて行う。
【００２０】
画像処理装置は、動作２０７においてデータを符号化し、データ記憶部１０７に順次格納する。画像処理装置は、動作２０８において格納したデータを順次読みだして復号化する。動作２０７から動作２０８までの処理はシステムＡＳＩＣ１０８が行う。
【００２１】
画像処理装置は、動作２０９において細線化を行い、動作２１０において細線化後のデータをＰＷＭエンジンに出力する。動作２０９の処理は画像処理ＡＳＩＣ１０９が行う。ＰＷＭエンジンは画像形成部１１０を構成してもよい。
【００２２】
図３は、本実施形態の画像処理装置が行うカラー変換処理のためのソフトウエアモジュールブロック図である。図３に示すように、パーソナルコンピュータなどのホスト３００は、文書を作成するための文書作成アプリケーション３０１と、文書作成アプリケーション３０１によって作成された文書を印刷するためのプリンタドライバ３０２と、後述するカラーメタオブジェクトを設定するための設定アプリケーション３０３と、を備える。
【００２３】
画像処理装置３１０は、ホスト３００から受信した文書データの構文を解析する構文解析部３１１と、後述するカラーメタデータを処理するカラーメタデータ処理部３１２と、印字するデータであるプリントデータを生成するプリントデータ生成部３１３と、カラーメタオブジェクトの条件を格納するデータベース（以下、データベースをＤＢと略す。）であるカラーメタオブジェクト条件ＤＢ３１４と、ＩＣＣプロファイルを格納するＩＣＣプロファイル群記憶部３１５と、を備える。
【００２４】
画像処理装置３１０は、構文解析部３１１によりホスト３００から入力するＰｏｓｔＳｃｒｉｐｔなどのページ記述言語（ＰＤＬ）、ＰＤＦ、ＸＰＳなどの形式によって表現された文書データを、描画オブジェクトを含む形式の文書データである第１の中間データに変換する。
【００２５】
画像処理装置３１０は、カラーメタデータ処理部３１２により第１の中間データから、色を校正するための指示情報であるカラーメタオブジェクトと、色校正の対象である色校正対象描画オブジェクトとを検出し、検出された色校正対象オブジェクトの描画色色情報を検出されたカラーメタオブジェクトの色校正指示情報に基づいて変更する。
【００２６】
画像処理装置３１０は、この変更された文書情報を第２の中間データとしてプリントデータ生成部３１３に出力する。
【００２７】
画像処理装置３１０は、ホスト３００の設定アプリケーションによりホスト３００からカラーメタオブジェクトを検出する条件、すなわちカラーメタオブジェクトであると判定する条件の設定と、色校正対象描画オブジェクトを検出する条件の設定とを印刷実行前に受ける。
【００２８】
画像処理装置３１０は、プリントデータ生成部３１３によりカラーメタデータ処理部３１２から供給される第２の中間データの描画オブジェクトの色情報を、例えばＣＭＹＫ値などのプリントエンジン３２０のデバイス色空間の色座標値に変更するとともに、描画オブジェクトを含む文書データ全体をラスタデータに変換してプリントエンジン３２０に出力する。
【００２９】
ＩＣＣプロファイル群記憶部３１５は、描画オブジェクトの色情報をプリントエンジン３２０のデバイス色空間の色座標値に変換する際に参照されるカラープロファイル群を記憶する手段である。ＩＣＣプロファイル群記憶部３１５は、ｓＲＧＢなどのＲＧＢ色空間のＩＣＣプロファイルや、プリンタや印刷機などのＣＭＹＫデバイスのＩＣＣプロファイルなどを格納する。
【００３０】
画像処理装置３１０に入力される文書データの色情報は、色座標データすなわちソース色座標データと、色座標データが属する色空間情報すなわちソース色空間のカラープロファイルすなわちソースカラープロファイルと、から構成される。
【００３１】
図５は、プリントデータ生成部３１３におけるカラーマネジメントの基本処理を示すブロック図である。図５に示すように、画像処理装置３１０はソース色変換部５０１により入力したソース色座標を、ソースカラープロファイルを参照して変換し、デバイスに依存しない色空間の色座標データを出力する。
【００３２】
次に、画像処理装置３１０はデスティネーション色変換部５０２により、デスティネーションカラープロファイルを参照して色座標を変換し、出力する。
【００３３】
文書データの色情報を、ＩＣＣプロファイルを参照して最終的にプリントエンジンのデバイス色空間であるＣＭＹＫ値に変換する一連の処理を「色変換」あるいは（狭義の）「カラーマネジメント」と呼ぶ。
【００３４】
通常のカラーマネジメントの典型的な処理の流れとして、画像処理装置３１０は、例えば、プリントデータ生成部３１３により、図５に示すように、ソース色座標データをソースカラープロファイルに基づいてデバイスに依存しないＬ＊ａ＊ｂ＊やＣＩＥＸＹＺなどの色空間の色座標データに変換する。画像処理装置３１０は、この変換された色座標データをプリントエンジン３２０のＣＭＹＫカラープロファイルすなわちデスティネーションカラープロファイルに基づいて出力ＣＭＹＫ色座標データに変換し、プリントエンジン３２０に出力する。ソース色座標データとしては、Ｌ＊ａ＊ｂ＊、ＣＩＥＸＹＺといった色座標データが直接指定される場合もある。その場合は、図５のソース色変換部５０１の処理が省略される。また、プリンタＣＭＹＫ色座標が直接指定される場合もあり、その場合は、図５のソース色変換部５０１およびデスティネーション色変換部５０２の処理が共に省略されることになる。
【００３５】
本発明によって、後述のように、カラーメタデータ処理部３１２により、あらかじめ、文書データの色情報（ソース色座標およびソースカラープロファイル）を、色校正指示情報に基づいて、所望の色となるように変更することが可能となる。
【００３６】
図４は、カラーメタデータ処理部３１２の構成を示すソフトウエアブロック図である。図４に示すように、カラーメタデータ処理部３１２は、カラーメタオブジェクト検出部４０１と、色校正対象描画オブジェクト検出部４０３と、色校正指示情報抽出部４０４と、色校正対象描画オブジェクト描画色変更部４０５と、カラーメタオブジェクト・連結オブジェクト描画無効化処理部４０２と、中間データ記憶部４０６と、を備える。
【００３７】
画像処理装置３１０は、カラーメタオブジェクト検出部４０１により、中間データ記憶部４０６が格納する文書データの中にあるテキストオブジェクトがカラーメタオブジェクトか否かを判定する。画像処理装置３１０はこの判定を、カラーメタオブジェクト条件ＤＢ３１４を参照して行う。
【００３８】
ここでテキストオブジェクトとは、文書データの中の任意の位置に配置される、任意のテキストデータを記述可能なデータの集まりを含むものとする。例えば、ワードプロセッサソフトやグラフィックソフトのテキストボックスオブジェクト、吹き出しオブジェクト、コメントオブジェクトなどを含む。
【００３９】
画像処理装置３１０は、テキストオブジェクトをカラーメタオブジェクトであると判定した場合、そのテキストオブジェクトのデータを色校正指示情報抽出部４０４と、カラーメタオブジェクト・連結オブジェクト描画無効化処理部４０２に出力する。
【００４０】
画像処理装置３１０は、色校正対象描画オブジェクト検出部４０３により、中間データ記憶部４０６に記憶されている文書データの中の描画対象のオブジェクトである描画オブジェクトが色を校正する対象のオブジェクトである色校正対象描画オブジェクトであるかを判定する。画像処理装置３１０はこの判定を、カラーメタオブジェクトデータとリンク条件とを参照して行う。
【００４１】
ここで、描画オブジェクトとは、文書データの中の任意の位置に配置される、着色可能なデータの集まりを含むものとする。例えば、ワードプロセッサソフトやグラフィックソフトのテキストボックスオブジェクト、吹き出しオブジェクト、円や四角形などの図形オブジェクトなどを含む。
【００４２】
画像処理装置３１０は、描画オブジェクトが色校正対象描画オブジェクトであると判定された場合、その描画オブジェクトのデータを色校正対象描画オブジェクト描画色変更部４０５に出力する。画像処理装置３１０は、色校正対象描画オブジェクト検出部４０３により、カラーメタオブジェクトと色校正対象描画オブジェクトとを関連付けている、すなわちリンクしている連結オブジェクトを検出し、この連結オブジェクトのデータをカラーメタオブジェクト・連結オブジェクト描画無効化処理部４０２に出力する。
【００４３】
ここで、連結オブジェクトとは、始点と終点の座標を保持することが可能な描画オブジェクトのうち、後述するように連結オブジェクトとして指定された条件を満たすオブジェクトを言う。例えば、ワードプロセッサソフトやグラフィックソフトの直線オブジェクト、矢印オブジェクトなどのうち、指定された条件を満たすものが含まれる。
【００４４】
画像処理装置３１０は、色校正指示情報抽出部４０４により、カラーメタオブジェクト検出部４０１から出力されたカラーメタオブジェクトのテキストデータから色校正指示情報を抽出し、色校正対象描画オブジェクト描画色変更部４０５に出力する。
【００４５】
ここで、色校正指示情報は描画色を指定の色に置き換える指示を言う。色校正指示情報の例と指示内容を表１に示す。
【表１】
2010009593.tif 000003
【００４６】
画像処理装置３１０は、色校正対象描画オブジェクト描画色変更部４０５により、検出した色校正対象描画オブジェクトの色情報を色校正指示情報抽出部４０４から出力された色校正指示情報に基づいて変更し、その結果を中間データ記憶部４０６に記憶されている文書データに反映する。
【００４７】
画像処理装置３１０は、カラーメタオブジェクト・連結オブジェクト描画無効化処理部４０２により、カラーメタオブジェクト検出部４０１によって検出されたカラーメタオブジェクトのデータと、色校正対象描画オブジェクト検出部４０３により検出された連結オブジェクトのデータとに対して描画を取り消す処理を施し、その結果を中間データ記憶部４０６に記憶されている文書データに反映する。
【００４８】
画像処理装置３１０は、処理結果が反映された文書データを第２の中間データとしてプリントデータ生成部３１３に出力する。
【００４９】
図６は、カラーメタデータ処理を示すフローチャートである。図６に示すように、動作６０１において、画像処理装置３１０は文書中のテキストオブジェクトを探索し、動作６０２においてテキストオブジェクトを検出したか判定する。画像処理装置３１０は、テキストオブジェクトを検出しなかった場合は処理を終了し、検出した場合は動作６０３に進む。
【００５０】
動作６０３において、画像処理装置３１０は検出されたオブジェクトの属性を検査する。すなわち、検出されたオブジェクトがカラーメタオブジェクトの条件を満たしているかを検査する。
【００５１】
動作６０４において、画像処理装置３１０は検出されたオブジェクトがカラーメタオブジェクトの条件を満たしているか、すなわちあらかじめ指定した所定の属性と一致するかを判定し、一致する場合は動作６０５に進み、一致しない場合は動作６０１に戻る。
【００５２】
動作６０５において、画像処理装置３１０はテキストオブジェクトの文字列から色校正指示情報を抽出する。
【００５３】
動作６０６において、画像処理装置３１０は色校正指示情報の抽出に成功したかを判定し、成功した場合は動作６０７に進み、成功しなかった場合は動作６０１に戻る。
【００５４】
動作６０７において、画像処理装置３１０は注目しているテキストオブジェクトすなわちカラーメタオブジェクトにリンクしている色校正対象描画オブジェクトの検出と、色校正処理を行い、動作６０１に戻る。
【００５５】
図７は、図６の動作６０７の処理内容を示したフローチャートである。図７に示すように、動作７０１において、画像処理装置３１０はカラーメタオブジェクトの領域情報、すなわち、カラーメタオブジェクトが配置されている位置及び範囲に関する情報を取得する。
【００５６】
動作７０２において、画像処理装置３１０はカラーメタオブジェクトの領域内を始点とする連結オブジェクトを探索する。
【００５７】
動作７０３において、画像処理装置３１０は連結オブジェクトを検出したかを判定し、検出しない場合は処理を終了し、検出した場合は動作７０４に進む。動作７０４において、画像処理装置３１０は連結オブジェクトの終点に配置されている描画オブジェクトを探索する。
【００５８】
動作７０５において、画像処理装置３１０は描画オブジェクトを検出したかを判定し、検出した場合は動作７０６に進み、検出しない場合は動作７０２に戻る。
【００５９】
動作７０６において、画像処理装置３１０は検出された描画オブジェクトの描画色を抽出した色校正指示情報に基づいて変更する。動作７０７において、画像処理装置３１０はカラーメタオブジェクト及び連結オブジェクトを非描画にし、動作７０２に戻る。
【００６０】
なお、画像処理装置３１０は動作７０７においてカラーメタオブジェクト及び連結オブジェクトを描画するように指定することができるように構成することもできる。
【００６１】
図８は、カラーメタオブジェクト及び連結オブジェクトの条件設定画面の例を示す図である。図８に示すように、カラーメタオブジェクトは条件設定画面８０１により、フォント、スタイル、サイズ、フォントの色又はマーカーの色、下線等の属性が指定される。
【００６２】
また、連結オブジェクトは条件設定画面８０１により、線の色、スタイル、実線／点線の種別、太さ、矢印の始点のサイズとスタイル、終点のサイズとスタイル等の属性が指定される。
【００６３】
図９は、文書にカラーメタオブジェクトを配置した状態を示す図である。図９に示すように、変換前の文書９０１には、カラーメタオブジェクトではない通常のテキストオブジェクト９０２と、通常の矢印オブジェクト９０３と、第１の図形９０４と、が配置されている。
【００６４】
また、第１のカラーメタオブジェクト９０５と、第１の連結オブジェクト９０６と、第１の色校正対象描画オブジェクト９０７と、第２のカラーメタオブジェクト９０８と、第２の連結オブジェクト９０９と、第２の色校正対象描画オブジェクト９１０と、第３のカラーメタオブジェクト９１１と、第３の連結オブジェクト９１２と、第４の連結オブジェクト９１３と、第３の色校正対象描画オブジェクト９１４と、第４の色校正対象描画オブジェクト９１５と、が配置されている。
【００６５】
図１０は、変換後の文書１００１の状態を示す図である。図１０に示すように、通常のテキストオブジェクト９０２と、通常の矢印オブジェクト９０３とはカラーメタオブジェクトに設定された属性と一致しないため、通常の描画オブジェクトとして扱われ、印字される。また、第１の図形９０４の色は変更されない。
【００６６】
第１のカラーメタオブジェクト９０５は、カラーメタオブジェクトに設定された属性と一致する。このため、画像処理装置３１０は第１のカラーメタオブジェクト９０５を始点とする第１の連結オブジェクト９０６を探索し、第１の連結オブジェクト９０６の終点に位置する第１の色校正対象描画オブジェクト９０７を探索する。
【００６７】
画像処理装置３１０は、第１のカラーメタオブジェクト９０５のテキスト部分から色校正指示情報である「Ｓ（１２０，１０３，２２３）  ＳＰ（ｓＲＧＢ．ｉｃｃ）」を抽出し、第１の色校正対象描画オブジェクト９０７の色座標を変換する。
【００６８】
画像処理装置３１０は、第２のカラーメタオブジェクト９０８を始点とする第２の連結オブジェクト９０９を探索し、第２の連結オブジェクト９０９の終点に位置する第２の色校正対象描画オブジェクト９１０を探索する。
【００６９】
画像処理装置３１０は、第２のカラーメタオブジェクト９０８のテキスト部分から色校正指示情報である「（１５６，１２２，２，１）」を抽出し、第２の色校正対象描画オブジェクト９１０の色座標を変換する。
【００７０】
画像処理装置３１０は、以下同様に第３の色校正対象描画オブジェクト９１４、第４の色校正対象描画オブジェクト９１５の色座標を変換する。
【００７１】
以上述べたように、本実施形態の画像処理装置は文書作成ソフトウエアのテキストオブジェクトの属性を指定することによりカラーメタオブジェクトを指定し、文書データ内にこのカラーメタオブジェクトを検出したとき、リンク先の描画オブジェクトの色をカラーメタオブジェクトにより指定した色校正指示情報に従って変換する。従って、
・印刷物に指示を書き込むスタイルに似た慣れ親しんだ感覚で、デジタルでの色校正ができる。
【００７２】
・色空間名（ソースプロファイル）、色値、修正変移値、デスティネーションプロファイルのうち1つ以上を併せて任意に指定できるため、所望の色が得られやすい。
【００７３】
・描画オブジェクト個々に異なるデスティネーションプロファイルを適用できる。
【００７４】
という効果がある。
【００７５】
（第２の実施形態）
本実施形態の画像形成装置３１０の構成は、第１の実施形態の構成と同様である。本実施形態においては連結オブジェクトを使用しないことを特徴とする。連結オブジェクトを使用しない場合は、図８に示した条件設定画面８０１において、「連結オブジェクトを使用する」のチェックを外す。画像処理装置３１０の処理の概略は図６に示すフローと同様である。
【００７６】
図１１は、図６の動作６０７の本実施形態における処理内容を示したフローチャートである。図１１に示すように、動作１１０１において、画像処理装置３１０はカラーメタオブジェクトの領域情報を取得する。
【００７７】
動作１１０２において、画像処理装置３１０はカラーメタオブジェクトの領域内に接している、すなわちかかる描画オブジェクトを探索する。
【００７８】
ここで、接している、すなわちかかるとは、カラーメタオブジェクトの領域内にオブジェクトの一部または全部が位置することを言う。
【００７９】
動作１１０３において、画像処理装置３１０は描画オブジェクトを検出したかを判定し、検出しない場合は処理を終了し、検出した場合は動作１１０４に進む。動作１１０４において、画像処理装置３１０は検出された描画オブジェクトの描画色を抽出した色校正指示情報に基づいて変更する。動作１１０５において、画像処理装置３１０はカラーメタオブジェクト及び連結オブジェクトを非描画にし、動作１１０２に戻る。
【００８０】
図１２は、文書にカラーメタオブジェクトを配置した状態を示す図である。図１２に示すように、変換前の文書１２０１には、カラーメタオブジェクトではない通常のテキストオブジェクト１２０２と、第１の図形１２０３と、が配置されている。
【００８１】
また、第１のカラーメタオブジェクト１２０４と、第１の色校正対象描画オブジェクト１２０５と、第２のカラーメタオブジェクト１２０６と、第２の色校正対象描画オブジェクト１２０７と、第３のカラーメタオブジェクト１２０８と、第３の色校正対象描画オブジェクト１２０９と、第４の色校正対象描画オブジェクト１２１０と、が配置されている。
【００８２】
図１３は、変換後の文書１３０１の状態を示す図である。図１３に示すように、通常のテキストオブジェクト１２０２はカラーメタオブジェクトに設定された属性と一致しないため、通常の描画オブジェクトとして扱われ、印字される。また、第１の図形１２０３の色は変更されない。
【００８３】
第１のカラーメタオブジェクト１２０４は、カラーメタオブジェクトに設定された属性と一致する。このため、画像処理装置３１０は第１のカラーメタオブジェクト１２０４に接する第１の色校正対象描画オブジェクト１２０５を探索する。
【００８４】
画像処理装置３１０は、第１のカラーメタオブジェクトのテキスト部分から色校正指示情報である「Ｓ（１２０，１０３，２２３）  ＳＰ（ｓＲＧＢ．ｉｃｃ）」を抽出し、第１の色校正対象描画オブジェクト１２０５の色座標を変換する。
【００８５】
画像処理装置３１０は、第２のカラーメタオブジェクト１２０６に接する第２の色校正対象描画オブジェクト１２０７を探索する。
【００８６】
画像処理装置３１０は、第２のカラーメタオブジェクトのテキスト部分から色校正指示情報である「（１５６，１２２，２，１）」を抽出し、第２の色校正対象描画オブジェクト１２０７の色座標を変換する。
【００８７】
画像処理装置３１０は、以下同様に第３の色校正対象描画オブジェクト１２０９、第４の色校正対象描画オブジェクト１２１０の色座標を変換する。
【００８８】
以上述べたように、本実施形態の画像処理装置は文書作成ソフトウエアのテキストオブジェクトの属性を指定することによりカラーメタオブジェクトを指定し、文書データ内にこのカラーメタオブジェクトを検出したとき、このカラーメタオブジェクトに接する描画オブジェクトの色をカラーメタオブジェクトにより指定した色校正指示情報に従って変換する。従って、連結オブジェクトを使用しない分手間が省けるという効果がある。
【００８９】
（第３の実施形態）
本実施形態の画像処理装置のハードウエア構成及び処理の概要は第１の実施形態と同様である。
【００９０】
図１４は、本実施形態の画像処理装置が行うカラー変換処理のためのソフトウエアモジュールブロック図である。図１４に示すように、パーソナルコンピュータなどのホスト３００は、文書を作成するための文書作成アプリケーション３０１と、文書作成アプリケーション３０１によって作成された文書を印刷するためのプリンタドライバ３０２と、後述するカラーメタオブジェクトを設定するための設定アプリケーション３０３と、を備える。
【００９１】
画像処理装置１４１０は、ホスト３００から受信した文書データの構文を解析する構文解析部１４１１と、後述するスポットカラー化処理部１４１２と、印字するデータであるプリントデータを生成するプリントデータ生成部１４１３と、カラーメタオブジェクトの条件を格納するカラーメタオブジェクト条件ＤＢ１４１４と、ＩＣＣプロファイルを格納するＩＣＣプロファイル群記憶部１４１５と、を備える。ＩＣＣプロファイル群記憶部１４１５はＩＣＣスポットカラープロファイル群記憶部１４１６を備える。
【００９２】
画像処理装置１４１０は、構文解析部１４１１によりホスト３００から入力するＰｏｓｔＳｃｒｉｐｔなどのページ記述言語（ＰＤＬ）、ＰＤＦ、ＸＰＳなどの形式によって表現された文書データを、描画オブジェクトを含む形式の文書データである第１の中間データに変換する。
【００９３】
画像処理装置１４１０は、スポットカラー化処理部１４１２により第１の中間データから、色を校正するための指示情報であるカラーメタオブジェクトと、色校正の対象である色校正対象描画オブジェクトとを検出し、検出された色校正対象オブジェクトの描画色色情報を検出されたカラーメタオブジェクトの色校正指示情報に基づいて変更する。
【００９４】
本実施形態においては、色校正指示情報は後述するようにスポットカラー名により記述されている。
【００９５】
画像処理装置１４１０は、この変更された文書情報を第２の中間データとしてプリントデータ生成部１４１３に出力する。
【００９６】
画像処理装置１４１０は、ホスト３００の設定アプリケーションによりホスト３００からカラーメタオブジェクトを検出する条件の設定と、色校正対象描画オブジェクトを検出する条件の設定とを受ける。
【００９７】
画像処理装置１４１０は、プリントデータ生成部１４１３によりスポットカラー化処理部１４１２から供給される第２の中間データの描画オブジェクトの色情報を、例えばＣＭＹＫ値などのプリントエンジン３２０のデバイス色空間の色座標値に変更するとともに、描画オブジェクトを含む文書データ全体をラスタデータに変換してプリントエンジン３２０に出力する。
【００９８】
ＩＣＣプロファイル群記憶部１４１５は、描画オブジェクトの色情報をプリントエンジン３２０のデバイス色空間の色座標値に変換する際に参照されるカラープロファイル群を記憶する手段である。ＩＣＣプロファイル群記憶部１４１５は、ｓＲＧＢなどのＲＧＢ色空間のＩＣＣプロファイルや、プリンタや印刷機などのＣＭＹＫデバイスのＩＣＣプロファイルなどを格納する。
【００９９】
ＩＣＣプロファイル群記憶部１４１５は、ＩＣＣスポットカラープロファイル群記憶部１４１６を備える。ＩＣＣスポットカラープロファイル群記憶部１４１６はＩＣＣ  Ｎａｍｅｄ  Ｃｏｌｏｒ  Ｐｒｏｆｉｌｅと呼ばれる形式のスポットカラー用プロファイル群を記憶する。
【０１００】
ＩＣＣ  Ｎａｍｅｄ  Ｃｏｌｏｒ  Ｐｒｏｆｉｌｅは、スポットカラー名と、Ｌ＊ａ＊ｂ＊またはＣＩＥＸＹＺといった色座標値との対応関係を列記したスポットカラーテーブルからなる。このカラーテーブルはデバイス色座標値を含むこともある。
【０１０１】
画像処理装置１４１０は、ＩＣＣ  Ｎａｍｅｄ  Ｃｏｌｏｒ  Ｐｒｏｆｉｌｅを読みだしてスポットカラー化処理部１４１２に供給する。
【０１０２】
画像処理装置１４１０に入力される文書データの色情報は、色座標データすなわちソース色座標データと、色座標データが属する色空間情報すなわちソース色空間のカラープロファイルすなわちソースカラープロファイルと、から構成される。
【０１０３】
画像処理装置１４１０は、プリントデータ生成部１４１３により、例えば、ソース色座標データをソースカラープロファイルに基づいてデバイスに依存しないＬ＊ａ＊ｂ＊やＣＩＥＸＹＺなどの色空間の色座標データに変換する。画像処理装置１４１０は、この変換された色座標データをプリントエンジン３２０のＣＭＹＫカラープロファイルすなわちデスティネーションカラープロファイルに基づいて出力ＣＭＹＫ色座標データに変換し、プリントエンジン３２０に出力する。ソース色座標データとしては、Ｌ＊ａ＊ｂ＊、ＣＩＥＸＹＺといった色座標データが直接指定される場合もある。その場合は、図５のソース色変換部５０１の処理が省略される。また、プリンタＣＭＹＫ色座標が直接指定される場合もあり、その場合は、図５のソース色変換部５０１およびデスティネーション色変換部５０２の処理が共に省略されることになる。
【０１０４】
本発明によって、後述のように、スポットカラー化処理部１４１２により、あらかじめ、文書データの色情報（ソース色座標およびソースカラープロファイル）を、色校正指示情報により指定されたスポットカラー名に対応する色座標値に変更することが可能となる。
【０１０５】
図１５は、スポットカラー化処理部１４１２の構成を示すソフトウエアブロック図である。図１５に示すように、スポットカラー化処理部１４１２は、カラーメタオブジェクト検出部１５０１と、スポットカラー化描画オブジェクト検出部１５０３と、色座標値取得部１５０４と、スポットカラー化描画オブジェクト描画色変更部１５０５と、カラーメタオブジェクト・連結オブジェクト描画無効化処理部１５０２と、中間データ記憶部１５０６と、を備える。
【０１０６】
画像処理装置１４１０は、カラーメタオブジェクト検出部１５０１により、中間データ記憶部１５０６が格納する文書データの中にあるテキストオブジェクトがカラーメタオブジェクトか否かを判定する。画像処理装置１４１０はこの判定を、カラーメタオブジェクト条件ＤＢ１４１４を参照して行う。
【０１０７】
ここでテキストオブジェクトとは、文書データの中の任意の位置に配置される、任意のテキストデータを記述可能なデータの集まりを含むものとする。例えば、ワードプロセッサソフトやグラフィックソフトのテキストボックスオブジェクト、吹き出しオブジェクト、コメントオブジェクトなどを含む。
【０１０８】
画像処理装置１４１０は、テキストオブジェクトをカラーメタオブジェクトであると判定した場合、そのテキストオブジェクトのデータを色座標値取得部１５０４と、カラーメタオブジェクト・連結オブジェクト描画無効化処理部１５０２に出力する。
【０１０９】
画像処理装置１４１０は、スポットカラー化描画オブジェクト検出部１５０３により、中間データ記憶部１５０６に記憶されている文書データの中の描画対象のオブジェクトである描画オブジェクトが色を校正する対象のオブジェクトであるスポットカラー化描画オブジェクトであるかを判定する。画像処理装置１４１０はこの判定を、カラーメタオブジェクトデータとリンク条件とを参照して行う。
【０１１０】
ここで、描画オブジェクトとは、文書データの中の任意の位置に配置される、着色可能なデータの集まりを含むものとする。例えば、ワードプロセッサソフトやグラフィックソフトのテキストボックスオブジェクト、吹き出しオブジェクト、円や四角形などの図形オブジェクトなどを含む。
【０１１１】
画像処理装置１４１０は、描画オブジェクトがスポットカラー化描画オブジェクトであると判定された場合、その描画オブジェクトのデータをスポットカラー化描画オブジェクト描画色変更部１５０５に出力する。画像処理装置１４１０は、スポットカラー化描画オブジェクト検出部１５０３により、カラーメタオブジェクトと色校正対象描画オブジェクトとを関連付けている、すなわちリンクしている連結オブジェクトを検出し、この連結オブジェクトのデータをカラーメタオブジェクト・連結オブジェクト描画無効化処理部１５０２に出力する。
【０１１２】
ここで、連結オブジェクトとは、始点と終点の座標を保持することが可能な描画オブジェクトのうち、後述するように連結オブジェクトとして指定された条件を満たすオブジェクトを言う。例えば、ワードプロセッサソフトやグラフィックソフトの直線オブジェクト、矢印オブジェクトなどのうち、指定された条件を満たすものが含まれる。
【０１１３】
画像処理装置１４１０は、色座標値取得部１５０４により、カラーメタオブジェクト検出部１５０１から出力されたカラーメタオブジェクトのテキストデータからスポットカラー名を抽出し、ＩＣＣ  Ｎａｍｅｄ  Ｃｏｌｏｒ  Ｐｒｏｆｉｌｅ内のスポットカラーテーブルを参照して対応する色座標値をスポットカラー化描画オブジェクト描画色変更部１５０５に出力する。
【０１１４】
スポットカラーテーブルの内容の例を表２に示す。
【表２】
2010009593.tif 000004
【０１１５】
画像処理装置１４１０は、スポットカラー化描画オブジェクト描画色変更部１５０５により、検出したスポットカラー化描画オブジェクトの描画色色情報を色座標値取得部１５０４から出力された色座標に基づいて変更し、その結果を中間データ記憶部１５０６に記憶されている文書データに反映する。
【０１１６】
画像処理装置１４１０は、カラーメタオブジェクト・連結オブジェクト描画無効化処理部１５０２により、カラーメタオブジェクト検出部１５０１によって検出されたカラーメタオブジェクトのデータと、スポットカラー化描画オブジェクト検出部１５０３により検出された連結オブジェクトのデータとに対して描画を取り消す処理を施し、その結果を中間データ記憶部１５０６に記憶されている文書データに反映する。
【０１１７】
画像処理装置１４１０は、処理結果が反映された文書データを第２の中間データとしてプリントデータ生成部１４１３に出力する。
【０１１８】
図１６は、スポットカラー化処理を示すフローチャートである。図１６に示すように、動作１６０１において、画像処理装置１４１０は文書中のテキストオブジェクトを探索し、動作１６０２においてテキストオブジェクトを検出したか判定する。画像処理装置１４１０は、テキストオブジェクトを検出しなかった場合は処理を終了し、検出した場合は動作１６０３に進む。
【０１１９】
動作１６０３において、画像処理装置１４１０は検出されたオブジェクトの属性を検査する。すなわち、検出されたオブジェクトがカラーメタオブジェクトの条件を満たしているかを検査する。
【０１２０】
動作１６０４において、画像処理装置１４１０は検出されたオブジェクトがカラーメタオブジェクトの条件を満たしているか、すなわちあらかじめ指定した所定の属性と一致するかを判定し、一致する場合は動作１６０５に進み、一致しない場合は動作１６０１に戻る。
【０１２１】
動作１６０５において、画像処理装置１４１０はテキストオブジェクトの文字列をＩＣＣ  Ｎａｍｅｄ  Ｃｏｌｏｒ  Ｐｒｏｆｉｌｅのスポットカラーテーブルに属する色名と順次照合する。
【０１２２】
動作１６０６において、画像処理装置１４１０は一致する色名があるかを判定し、ある場合は動作１６０７に進み、ない場合は動作１６０１に戻る。
【０１２３】
動作１６０７において、画像処理装置１４１０は該当色名の色座標を取得する。動作１６０８において、画像処理装置１４１０は注目しているテキストオブジェクトすなわちカラーメタオブジェクトにリンクしているスポットカラー化描画オブジェクトの検出と、色校正処理を行い、動作１６０１に戻る。
【０１２４】
図１７は、図１６の動作１６０８の処理内容を示したフローチャートである。図１７に示すように、動作１７０１において、画像処理装置１４１０はカラーメタオブジェクトの領域情報、すなわち、カラーメタオブジェクトが配置されている位置及び範囲に関する情報を取得する。
【０１２５】
動作１７０２において、画像処理装置１４１０はカラーメタオブジェクトの領域内を始点とする連結オブジェクトを探索する。
【０１２６】
動作１７０３において、画像処理装置１４１０は連結オブジェクトを検出したかを判定し、検出しない場合は処理を終了し、検出した場合は動作１７０４に進む。動作１７０４において、画像処理装置１４１０は連結オブジェクトの終点に配置されている描画オブジェクトを探索する。
【０１２７】
動作１７０５において、画像処理装置１４１０は描画オブジェクトを検出したかを判定し、検出した場合は動作１７０６に進み、検出しない場合は動作１７０２に戻る。
【０１２８】
動作１７０６において、画像処理装置１４１０は検出された描画オブジェクトの描画色をＩＣＣ  Ｎａｍｅｄ  Ｃｏｌｏｒ  Ｐｒｏｆｉｌｅから取得した色座標に基づいて変更する。動作１７０７において、画像処理装置１４１０はカラーメタオブジェクト及び連結オブジェクトを非描画にし、動作１７０２に戻る。
【０１２９】
図１８は、文書にカラーメタオブジェクトを配置した状態を示す図である。図１８に示すように、変換前の文書１８０１には、カラーメタオブジェクトではない通常のテキストオブジェクト１８０２と、通常の矢印オブジェクト１８０３と、第１の図形１８０４と、が配置されている。
【０１３０】
また、第１のカラーメタオブジェクト１８０５と、第１の連結オブジェクト１８０６と、第１の色校正対象描画オブジェクト１８０７と、第２のカラーメタオブジェクト１８０８と、第２の連結オブジェクト１８０９と、第２の色校正対象描画オブジェクト１８１０と、第３のカラーメタオブジェクト１８１１と、第３の連結オブジェクト１８１２と、第４の連結オブジェクト１８１３と、第３の色校正対象描画オブジェクト１８１４と、第４の色校正対象描画オブジェクト１８１５と、が配置されている。
【０１３１】
図１９は、変換後の文書１９０１の状態を示す図である。図１９に示すように、通常のテキストオブジェクト１８０２と、通常の矢印オブジェクト１８０３とはカラーメタオブジェクトに設定された属性と一致しないため、通常の描画オブジェクトとして扱われ、印字される。また、第１の図形１８０４の色は変更されない。
【０１３２】
第１のカラーメタオブジェクト１８０５は、カラーメタオブジェクトに設定された属性と一致する。このため、画像処理装置１４１０は第１のカラーメタオブジェクト１８０５を始点とする第１の連結オブジェクト１８０６を探索し、第１の連結オブジェクト１８０６の終点に位置する第１の色校正対象描画オブジェクト１８０７を探索する。
【０１３３】
画像処理装置１４１０は、第１のカラーメタオブジェクトのテキスト部分からスポットカラー名である「ＡＢＣ  Ｇｒｅｅｎ」を抽出し、対応する色座標によって第１の色校正対象描画オブジェクト１８０７の色座標を変換する。
【０１３４】
画像処理装置１４１０は、第２のカラーメタオブジェクト１８０８を始点とする第２の連結オブジェクト１８０９を探索し、第２の連結オブジェクト１８０９の終点に位置する第２の色校正対象描画オブジェクト１８１０を探索する。
【０１３５】
画像処理装置１４１０は、第２のカラーメタオブジェクトのテキスト部分からスポットカラー名である「ＡＢＣ  Ｒｅｄ」を抽出し、対応する色座標によって第２の色校正対象描画オブジェクト１８１０の色座標を変換する。
【０１３６】
画像処理装置１４１０は、以下同様に第３の色校正対象描画オブジェクト１８１４、第４の色校正対象描画オブジェクト１８１５の色座標を変換する。
【０１３７】
以上述べたように、本実施形態の画像処理装置は文書作成ソフトウエアのテキストオブジェクトの属性を指定することによりカラーメタオブジェクトを指定し、文書データ内にこのカラーメタオブジェクトを検出したとき、リンク先の描画オブジェクトの色をカラーメタオブジェクトにより指定したスポットカラー名に対応する色に変更する。従って、スポットカラーデータを扱えないワープロソフト等で作成した文書であっても、テキストオブジェクト内のスポットカラー名に対応したスポットカラー印刷が可能になるという効果がある。
【０１３８】
（第４の実施形態）
本実施形態の画像形成装置１４１０の構成は、第３の実施形態の構成と同様である。本実施形態においては連結オブジェクトを使用しないことを特徴とする。連結オブジェクトを使用しない場合は、図８に示した条件設定画面８０１において、「連結オブジェクトを使用する」のチェックを外す。画像処理装置１４１０の処理の概略は図１６に示すフローと同様である。
【０１３９】
図２０は、図１６の動作１６０８の本実施形態における処理内容を示したフローチャートである。図２０に示すように、動作２００１において、画像処理装置１４１０はカラーメタオブジェクトの領域情報を取得する。
【０１４０】
動作２００２において、画像処理装置１４１０はカラーメタオブジェクトの領域内に接している描画オブジェクトを探索する。
【０１４１】
ここで、接している、すなわちかかるとは、カラーメタオブジェクトの領域内にオブジェクトの一部または全部が位置することを言う。
【０１４２】
動作２００３において、画像処理装置１４１０は描画オブジェクトを検出したかを判定し、検出しない場合は処理を終了し、検出した場合は動作２００４に進む。動作２００４において、画像処理装置１４１０は検出された描画オブジェクトの描画色をＩＣＣ  Ｎａｍｅｄ  Ｃｏｌｏｒ  Ｐｒｏｆｉｌｅから取得した色座標に基づいて変更する。動作２００５において、画像処理装置１４１０はカラーメタオブジェクトを非描画にし、動作２００２に戻る。
【０１４３】
図２１は、文書にカラーメタオブジェクトを配置した状態を示す図である。図２１に示すように、変換前の文書２１０１には、カラーメタオブジェクトではない通常のテキストオブジェクト２１０２と、第１の図形２１０３と、が配置されている。
【０１４４】
また、第１のカラーメタオブジェクト２１０４と、第１の色校正対象描画オブジェクト２１０５と、第２のカラーメタオブジェクト２１０６と、第２の色校正対象描画オブジェクト２１０７と、第３のカラーメタオブジェクト２１０８と、第３の色校正対象描画オブジェクト２１０９と、第４の色校正対象描画オブジェクト２１１０と、が配置されている。
【０１４５】
図２２は、変換後の文書２２０１の状態を示す図である。図２２に示すように、通常のテキストオブジェクト２１０２はカラーメタオブジェクトに設定された属性と一致しないため、通常の描画オブジェクトとして扱われ、印字される。また、第１の図形２１０３の色は変更されない。
【０１４６】
第１のカラーメタオブジェクト２１０４は、カラーメタオブジェクトに設定された属性と一致する。このため、画像処理装置１４１０は第１のカラーメタオブジェクト２１０４に接する第１の色校正対象描画オブジェクト２１０５を探索する。
【０１４７】
画像処理装置１４１０は、第１のカラーメタオブジェクトのテキスト部分からスポットカラー名である「ＡＢＣ  Ｇｒｅｅｎ」を抽出し、第１の色校正対象描画オブジェクト１２０５の色座標を対応する色座標に変換する。
【０１４８】
画像処理装置１４１０は、第２のカラーメタオブジェクト２１０６に接する第２の色校正対象描画オブジェクト２１０７を探索する。
【０１４９】
画像処理装置１４１０は、第２のカラーメタオブジェクトのテキスト部分からスポットカラー名である「ＡＢＣ  Ｒｅｄ」を抽出し、第２の色校正対象描画オブジェクト２１０７の色座標を対応する色座標に変換する。
【０１５０】
画像処理装置１４１０は、以下同様に第３の色校正対象描画オブジェクト２１０９、第４の色校正対象描画オブジェクト２１１０の色座標を変換する。
【０１５１】
以上述べたように、本実施形態の画像処理装置は文書作成ソフトウエアのテキストオブジェクトの属性を指定することによりカラーメタオブジェクトを指定し、文書データ内にこのカラーメタオブジェクトを検出したとき、このカラーメタオブジェクトに接する描画オブジェクトの色をカラーメタオブジェクトにより指定したスポットカラーに対応する色座標に従って変換する。従って、連結オブジェクトを使用しない分手間がさらに省けるという効果がある。
【符号の説明】
【０１５２】
３１０：画像処理装置、
３１１：構文解析部、
３１２：カラーメタデータ処理部、
３１３：プリントデータ生成部、
３１４：カラーメタオブジェクト条件ＤＢ、
３１５：ＩＣＣプロファイル群記憶部。
【図１】
2010009593.tif 000005
【図２】
2010009593.tif 000006
【図３】
2010009593.tif 000007
【図４】
2010009593.tif 000008
【図５】
2010009593.tif 000009
【図６】
2010009593.tif 000010
【図７】
2010009593.tif 000011
【図８】
2010009593.tif 000012
【図９】
2010009593.tif 000013
【図１０】
2010009593.tif 000014
【図１１】
2010009593.tif 000015
【図１２】
2010009593.tif 000016
【図１３】
2010009593.tif 000017
【図１４】
2010009593.tif 000018
【図１５】
2010009593.tif 000019
【図１６】
2010009593.tif 000020
【図１７】
2010009593.tif 000021
【図１８】
2010009593.tif 000022
【図１９】
2010009593.tif 000023
【図２０】
2010009593.tif 000024
【図２１】
2010009593.tif 000025
【図２２】
2010009593.tif 000026